(57)【要約】【課題】移動・携帯デジタル受信機で固定デジタル受信機が表示する全ネットワーク最大８日分の番組情報を表示することができる番組情報マージ手段を有するデジタル受信機を提供する。【解決手段】番組及びサービス付加情報を受信する情報受信手段１００と、情報受信手段１００で受信された番組及びサービス付加情報を記憶する記憶部２５と前記記憶部２５から番組およびサービス付加情報をメモリカードに書き込むメモリカード制御部２６とメモリカードに保存される番組及びサービス付加情報を前記メモリカード制御部２６で読み出し、読み出した番組及びサービス付加情報と前記記憶部２５に保存される番組情報及びサービス付加情報とをマージする入出力情報制御部２３とを備えた構成とした。【選択図】図１
2007208602.tif 000002
【特許請求の範囲】
【請求項１】
映像、音声及び／又はデータを含む番組、及び番組に関連する情報であるサービス付加情報から番組情報を表示する機能を有するデジタル受信機において、
前記番組、及びサービス付加情報を受信する情報受信手段と、
前記情報受信手段で受信された番組及びサービス付加情報を記憶する記憶手段と、
番組及びサービス付加情報をメモリカードから読み出すメモリカード読み出し手段と、
前記メモリカード読み出し手段でメモリカードから読み出された番組及びサービス付加情報と前記記憶手段で記憶された番組及びサービス付加情報とをマージする番組情報マージ手段と、
前記番組情報マージ手段で生成された番組及びサービス付加情報を所定の表示領域に表示する表示手段とを備えることを特徴とするデジタル受信機。
【請求項２】
前記デジタル受信機は、前記記憶手段で記憶された番組及びサービス付加情報をメモリカードへ書き込みを行うメモリカード書き込み手段を備えることを特徴とする請求項１記載のデジタル受信機。
【発明の詳細な説明】
【技術分野】
【０００１】
本発明は、番組情報を表示するデジタル受信機に関するものである。
【０００２】
特に、本発明は、移動・携帯デジタル受信機で固定受信機が表示する全ネットワーク最大８日分の番組情報を表示することを可能にするものである。
【背景技術】
【０００３】
移動・携帯デジタル受信機では、本来その特性上受信機の番組情報蓄積メモリ容量が固定デジタル受信機に対して極端に少ないことや、番組情報を表示できるディスプレイが極端に小さいことや、電源オフ時に受信可能な全サービスのＥＩＴ情報を自動的にサーチし受信機メモリに蓄積するなどを前提にしておらず、放送番組を単純に羅列したリスト形式により表示することを前提として送出されるＥＩＴ方式（Ｍ−ＥＩＴ，Ｌ−ＥＩＴ）を受信して番組情報を表示する（例えば、技術資料文献１参照）。図３は、前記技術資料文献１に記載された移動・携帯デジタル受信機の番組情報の表示形態を示すものである。また、メモリカードを介して番組情報を異なるデジタル機器間で通信する方法は公知の技術である（例えば、特許文献１参照）。
【０００４】
前記技術資料文献１でも記載されているが、移動・携帯デジタル受信機では全サービスのＥＩＴ情報（Ｈ−ＥＩＴ）を受信機メモリに蓄積し、それらすべての番組情報を表示できないと言っているのではなく、あくまでも移動・携帯デジタル受信機の特性を加味した上での想定である。移動・携帯デジタル受信機が想定するＥＩＴ（Ｍ−ＥＩＴやＬ−ＥＩＴ受信）では現在時刻から１０番組程度先までの番組情報しか受信できない。
【特許文献１】特開２００２−１６５１８５号公報
【非特許文献１】ＡＲＩＢ  ＴＲ−Ｂ１４地上デジタルテレビジョン放送運用規定・第２分冊」
【発明の開示】
【発明が解決しようとする課題】
【０００５】
上述の様な移動・携帯デジタル受信機では１０番組程度先までの番組情報しか受信できないと、例えば朝の時点でその日の夜に放送される番組情報を得ることができない場合がある。そのため、番組情報誌を閲覧したり、インターネットなどを利用して１０番組程度先以降に放送される番組情報を得なければならない。
【０００６】
本発明は、固定デジタル受信機が蓄積する番組情報をメモリカードに書き込み、そのメモリカードを携帯・移動デジタル受信機でメモリカードに書き込まれている番組情報を読み出し、携帯・移動デジタル受信機が受信する番組情報とマージすることで、固定デジタル受信機が蓄積する最大８日分の番組情報を移動・携帯デジタル受信機で表示することができるデジタル受信機を提供することを目的とする。ここで、番組情報は例えば、番組タイトル、番組の概要、番組の詳細内容、放送時間などを含んだ情報である。
【課題を解決するための手段】
【０００７】
前記従来の課題を解決するために、本発明（請求項１）に係るデジタル受信機は、映像、音声及び／又はデータを含む番組、及び番組に関連する情報であるサービス付加情報から番組情報を表示するデジタル受信機において、前記番組、及びサービス付加情報を受信する情報受信手段と、前記情報受信手段で受信された番組及びサービス付加情報を記憶する記憶部と、指定したＣＨ（サービス）の番組情報を前記記憶部から取り出す記憶部制御手段と、メモリカードに保存されている番組及びサービス付加情報をメモリカードから読み出すメモリカード読み出し手段と、前記記憶部制御手段で前記記憶部から取り出した番組及びサービス付加情報と前記メモリカード読み出し手段で読み出した番組及びサービス付加情報をマージする番組情報マージ手段と前記番組情報マージ手段で生成された番組及びサービス付加情報を所定の表示領域に表示する表示手段を備えたものである。
【発明の効果】
【０００８】
本発明により最大８日分の番組及びサービス付加情報が書き込まれたメモリカードが挿入されている時には、情報受信手段で受信できる１０番組程度先以降の番組情報の表示をユーザに要求されたときに、メモリカード読み出し手段により番組及びサービス付加情報を読み出し、情報受信手段で受信した番組及びサービス付加情報と番組情報マージ手段でマージすることで、最大８日分の番組及びサービス付加情報を番組情報として所定の表示領域に表示手段で表示することが可能となる効果がある。
【発明を実施するための最良の形態】
【０００９】
（実施の形態１）
図１は、本発明の実施の形態１によるデジタル受信機の構成を説明するための図である。以下、図１を用いて前記デジタル受信機の構成を説明する。
【００１０】
１１は静止画像もしくは動画像からなる映像信号、音声信号及び／もしくはデータを含む情報源、１２は映像信号及び／もしくは音声信号を所定の符号化方式、例えばＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ  ）の規格に従って符号化する情報エンコード部、１３は伝送される番組を選択するために必要な情報であるサービス付加情報のうち改めて符号化する必要のない関連情報、及び、番組の内容であるコンテンツのうち改めて符号化の必要のない情報を生成する関連情報生成部である。
【００１１】
関連情報は、例えば番組を構成する映像、音声及びデータの種類、番組番号、放送開始時刻などであり、符号化の必要のない情報である。通常これらの情報は、ＭＰＥＧのシステム規格書（ＧＥＮＥＲＩＣ  ＣＯＤＩＮＧ  ＯＦ  ＭＯＶＩＮＧ  ＰＩＣＴＵＲＥＳ  ＡＮＤ  ＡＳＳＯＣＩＡＴＥＤ  ＡＵＤＩＯ：ＳＹＳＴＥＭ  Ｒｅｃｏｍｍｅｎｄａｔｉｏｎ  Ｈ．２２２．０、ＩＳＯ／ＩＥＣ  １３８１８−１）、または欧州のデジタル放送規格であるＤＶＢのシステム規格書（Ｄｉｇｉｔａｌ  Ｖｉｄｅｏ  Ｂｒｏａｄｃａｓｔｉｎｇ（ＤＶＢ）  ｓｙｓｔｅｍｓ、ＥＴＳ  ３００４６８、Ｊａｎｕａｒｙ  １９９６）の規格に基づいて生成される。また、１４は符号化された信号と関連情報を多重化する多重化部、１５は伝送誤りに対する保護のためデータを加工する誤り訂正符号手段およびデジタル信号を送出するためのデジタル変調手段を含むチャンネルエンコード部である。また、１６は送信機、実際の伝送路、及び情報受信装置側のチューナで構成される伝送路である。また、１００は情報受信手段であり、１７はデジタル変調された信号を復調するデジタル復調手段と伝送路１６にて発生するデータ誤りに対する誤り訂正手段とで構成されるチャンネルデコード部、１８はチャンネルデコード部１７より出力された多重化されたデジタル信号を、符号化された映像信号、音声信号及び／もしくはデータ信号と関連情報とに多重分離する多重分離部、１９は前記符号化された信号を映像信号及び／もしくは音声信号に復号化する情報デコード部、２０は多重分離部１８から入力される復号化する必要のない関連情報を処理する関連情報処理部、２１は情報デコード部１９と関連情報処理部２０から出力される映像、音声及び／またはデータを合成する情報合成部、２４は情報合成部２１で合成された映像、音声及び／及びデータを出力する情報出力部である。また２３は情報合成部２１の出力を入力とし、番組タイトル情報や番組詳細情報を作成して情報出力部２４に出力するとともに、番組やサービス付加情報等の情報の記憶を制御する入出力情報制御部である。また、２５は入出力情報制御部２３が出力する番組タイトル情報や番組詳細情報を作成するためのサービス付加情報を記憶する記憶部、即ち記憶手段である。２６はメモリカードの読み出し及び書き込みを制御するメモリカード制御部である。また、入出力情報制御部２３は、メモリカード制御部２６からメモリカードに記憶されている番組及びサービス付加情報を入力とし、番組タイトル情報や番組詳細情報を作成して情報出力部２４に出力する。
【００１２】
図２は本実施の形態１のデジタル受信機の入出力情報制御部２３の詳細な構成を示す図である。
【００１３】
図２において、２３ａは入出力情報制御部２３を介する情報の制御を行う中央処理装置（以降、ＣＰＵと記す）である。２３ｂはＣＰＵ２３ａに接続された各手段を制御するためのコンピュータプログラムが格納されたプログラムＲＯＭであり、ＣＰＵ２３ａがデータの書き込み、読み出し、検索などの制御を行うために用いられる。２３ｃはＣＰＵ２３ａが情報の演算、制御を行うときに一時的に情報を格納するためのワークＲＡＭである。２３ｄは情報合成部２１との間で映像、音声及び／又はデータからなる情報の受け渡しを行なう情報入出力手段である。２３ｈは情報合成部２１から受け取った情報を記憶手段２５への記憶、所望する番組やサービス付加情報の条件に合致する情報の読み出し制御を行う記憶部制御手段である。２３ｌはメモリカード制御部２６からメモリカードに保存されている番組及びサービス付加情報の取り出し（図６（ａ））及び、記憶部制御手段２３ｈから取り出した番組及びサービス付加情報をメモリカード制御部２６でメモリカードへ書き込み（図６（ｂ））を行うメモリカード制御手段である。２３ｉは記憶部制御手段２３ｈとメモリカード制御手段２３ｌのそれぞれから取り出した番組情報で重複するものがあれば、記憶部制御手段２３ｈから取り出した情報を優先し、記憶部制御手段２３ｈから取り出した番組情報で同一ＣＨのもっとも将来の番組の放送終了時間を越える番組情報が、メモリカード制御手段２３ｌから取り出した番組情報にあればその番組情報を採用する番組情報マージ手段である。２３ｋは指定されたＣＨ（サービス）や放送時間に従い番組情報マージ手段２３ｌが取り出した番組情報を所定の表示領域に表示を行い、情報出力部２４に対し出力する表示手段である。
【００１４】
次に、本実施の形態１によるデジタル受信機の動作について説明する。まず、情報の送り手側において、情報エンコード部１２は情報源１１からの静止画像もしくは動画像からなる映像信号、音声信号及び／またはデータを符号化方式、例えばＭＰＥＧに規定される符号化方式に従って符号化し、また関連情報生成部１３は番組を選択するために必要なサービス付加情報、例えば番組のジャンル、番組開始時刻及び番組終了時刻等の時間情報などの情報のうち符号化の必要のない情報を生成し、多重化部１４は情報エンコード部１２と関連情報生成部１３から出力される信号を多重化する。その多重化は、例えばＭＰＥＧのシステム規格書もしくは欧州のデジタル放送規格であるＤＶＢのシステム規格書に従って行なわれる。チャンネルエンコード部１５は多重化されたデジタル信号に、伝送誤りに対する保護のためにデータを加工する誤り訂正符号手段及びデジタル信号を送出するためのデジタル変調手段である。伝送路１６はチャンネルエンコード部１５の出力信号を伝送する実際の伝送路である。
【００１５】
一方、情報受信手段１００側においては、チャンネルデコード部１７は伝送路１６で伝送された信号に対し、デジタル復調、及び誤り訂正処理を行う。このチャンネルデコード部１７は、チャンネルエンコード部１５と逆の処理を行い、多重化部１４が出力する信号と同じ信号を多重分離部１８へ出力する。多重分離部１８は、チャンネルエンコード部１７の出力信号の多重分離を行い、多重分離された信号は情報デコード部１９及び関連情報処理部２０に出力される。情報デコード部１９は入力される符号化された信号を例えばＭＰＥＧの規格に従って、映像もしくは音声信号等に復号化する。情報合成部２１は情報デコード部１９及び関連情報処理部２０から出力される信号を合成し、情報出力部２４及び入出力情報制御部２３に出力する。情報出力部２４に出力された信号は、映像信号は例えばモニタ表示部に、音声信号は例えばスピーカに、データ信号は例えばコンピュータ等に出力される。また、入出力情報制御部２３は、情報合成部２１から出力されるサービス付加情報を記憶部制御手段２３ｈを介して記憶部２５に記憶する。前記の情報受信装置側の動作は図３のステップ１とステップ２に示されている。
【００１６】
次に、移動・携帯デジタル受信機で現在選択しているＣＨ（サービス）の現在時刻から将来に向かって最大８日分の番組情報を表示する動作について説明する。現在選択しているＣＨ（サービス）の番組情報を番組情報マージ手段２３ｉは記憶部制御手段２３ｈで読み出し（図４（ａ）ステップ１）、次にメモリカード制御手段２３ｌで読み出す（図４（ａ）ステップ２）。記憶部制御手段２３ｈで読み出した番組情報を番組情報Ａとし、メモリカード制御手段２３ｉで読み出した番組情報を番組情報Ｂとする。このとき、番組情報Ａと番組情報Ｂでは番組情報Ａを優先する。そこで番組情報Ｂに番組情報Ａを上書きし（図４（ａ）ステップ３）、次に上書き後の番組情報の不整合チェックを行い、不整合があればこれを調整する（図４（ａ）ステップ４）。調整後の番組情報を表示手段２３ｋで所定の表示領域に表示を行う（図４（ａ）ステップ５）。ここで、番組情報Ａと番組情報Ｂとでは、番組情報Ａの方が優先されるため、番組情報Ｂを読み出す際に番組情報Ａで読み出した番組情報のもっとも将来番組の終了時刻を取得して（図４（ｂ）ステップ１）から番組情報Ｂを読み出す方法で実現することもできる。図５は記憶部制御手段２３ｈが記憶部２５から番組情報を読み出す際の処理の流れを示すものである。記憶部制御手段２３ｈは現在時刻から８日後の範囲が時間指定された番組情報の読み出しが要求される。記憶部制御手段２３ｈは記憶部２５に記憶される番組情報の中で放送開始時刻から放送終了時刻の一部でも時間指定範囲を含む番組情報を読み出し、読み出した番組情報を返す。
【００１７】
次に、固定受信機で記憶する最大８日分の番組及びサービス付加情報をメモリカードへ書き込む動作について説明する。ユーザによりメモリカードへ固定受信機が蓄積する番組及びサービス付加情報を書き込む指示があった時、記憶部制御手段２３ｈは記憶部２５からすべての番組及びサービス付加情報を取り出し、メモリカード制御手段２３ｌが取り出した番組及びサービス付加情報をメモリカード制御手段２３ｌがメモリカード制御部２６でメモリカードに書き込みを行う。
【００１８】
図７は、上記の実施の形態１を行った場合に固定デジタル受信機が受信する８日分の番組情報をメモリカードを介して携帯・移動デジタル受信機で表示した場合のイメージを示すものである。
【００１９】
また、上記の実施の形態１では、現在選択しているＣＨ（サービス）の番組情報を表示する例について説明したが、携帯デジタル受信機などで衛星デジタル放送を受信する手段を有さない場合でも、固定デジタル受信機が衛星デジタル放送を受信し、その番組情報を蓄積する場合、メモリカードに衛星デジタル放送の番組情報を含むことができるため、衛星デジタル放送が受信できないデジタル受信機でも衛星デジタル放送の番組情報を表示することができる。
【００２０】
また、上記の実施の形態１では、番組情報を表示する表示手段２３ｋのレイアウトに関係なく現在時刻から８日分を一度に読み出す例を説明したが、表示手段２３ｋが表示する表示レイアウトに合わせて、番組情報マージ手段２３ｉは一度に番組情報を表示できる時間範囲分を記憶部制御手段２３ｈとメモリカード制御手段２３ｉから読み出して表示手段２３ｋで表示することも可能である。つまり表示手段２３ｋのレイアウトで表示できる時間の範囲内指定した場合は、最大８日後の範囲まで表示手段２３ｋが表示するレイアウトに従い番組情報マージ手段２３ｉが記憶部制御手段２３ｈとメモリカード制御手段２３ｉから順次番組情報を読み出し表示手段２３ｋで表示するようにしても同様の効果を得ることができる。
【００２１】
また、上記実施の形態１では、常にメモリカードに保存される番組及びサービス付加情報と、受信機が記憶する番組及びサービス付加情報をマージしながら表示する形態で説明したが、メモリカードに保存される番組及びサービス付加情報をメモリカードが挿入された時点でメモリカード制御手段２３ｌが読み出し、番組情報マージ手段２３ｉが記憶部２５に保存される番組及びサービス付加情報とをマージして、マージした番組及びサービス付加情報を記憶部２５に保存することで、常にメモリカードを挿入していなくても同様の効果を得ることができる。
【００２２】
なお、上記実施の形態１では、メモリカードに保存された最大８日分の番組情報を読み出して、移動・携帯デジタル受信機が受信する番組情報とマージする番組情報マージ手段を設ける構成としたが、メモリカードの他に、有線、無線に関わらずネットワークインターフェイス受信手段を設け、ネットワークインターフェイスを介して番組情報を受信し、移動・携帯デジタル受信機が受信する番組情報とマージする構成としても同様の効果を得ることができる。
【産業上の利用可能性】
【００２３】
本発明のデジタル受信機は、移動・携帯デジタル受信機で将来にわたり十分な番組情報が蓄積できないときに、固定デジタル受信機が蓄積する最大８日分の番組情報をメモリカードを介して自受信機が蓄積する番組情報を優先して番組情報をマージすることで、固定デジタル受信機並みの番組情報を表示できる効果を有し、そのために将来番組の番組予約などの用途にも適用できる。
【図面の簡単な説明】
【００２４】
【図１】本発明の実施の形態１におけるデジタル受信機、及び、それに関連する送信装置と情報受信装置の構成を示すブロック図
【図２】本発明の実施の形態１におけるデジタル受信機の詳細な構成を示すブロック図
【図３】本発明の実施の形態１におけるデジタル受信機のサービス付加情報を記憶する動作のフローを示すフローチャート
【図４】（ａ）本発明の実施の形態１におけるデジタル受信機のメモリカードに保存される番組組情報と受信機が記憶する番組情報とマージする動作１のフローを示すフローチャート（ｂ）本発明の実施の形態１におけるデジタル受信機のメモリカードに保存される番組組情報と受信機が記憶する番組情報とマージする動作２のフローを示すフローチャート
【図５】本発明の実施の形態１におけるデジタル受信機の記憶部制御手段の詳細な動作のフローを示すフローチャート
【図６】（ａ）本発明の実施の形態１におけるデジタル受信機のメモリカード制御部の詳細な読み出し動作のフローを示すフローチャート（ｂ）本発明の実施の形態１におけるデジタル受信機のメモリカード制御部の詳細な書き込み動作のフローを示すフローチャート
【図７】本発明の実施の形態１におけるデジタル受信機を示す図
【符号の説明】
【００２５】
１１    情報源
１２    情報エンコード部
１３    関連情報生成部
１４    多重化部
１５    チャンネルエンコード部
１６    伝送路
１７    チャンネルデコード部
１８    多重分離部
１９    情報デコード部
２０    関連情報処理部
２１    情報合成部
２３    入出力情報制御部
２３ａ    ＣＰＵ
２３ｂ    プログラムＲＯＭ
２３ｃ    ワークＲＡＭ
２３ｄ    情報入出力手段
２３ｈ    記憶部制御手段
２３ｉ    番組情報マージ手段
２３ｋ    表示手段
２３ｌ    メモリカード制御手段
２４    情報出力部
２５    記憶部
２６    メモリカード制御部
１００    情報受信手段
【図１】
2007208602.tif 000003
【図２】
2007208602.tif 000004
【図３】
2007208602.tif 000005
【図４】
2007208602.tif 000006
【図５】
2007208602.tif 000007
【図６】
2007208602.tif 000008
【図７】
2007208602.tif 000009